(57)【要約】【課題】この発明は、タイトルの暗号化のためのタイトルキーでなるファイルの更新が禁止されたライトワンスタイプの記録メディアに対して、暗号化されたタイトルの追記を容易に可能とし、ユーザにとっての取り扱いを便利にし得るようにした情報記録装置及びその制御方法を提供することを目的としている。【解決手段】Usage Ruleの種類別に、互いに異なる複数のタイトルキー（３８）を生成する生成手段（１６）と、生成された複数のタイトルキー（３８）に対して、対応するUsage Ruleを用いて暗号化処理を施す暗号化手段（３９〜４３）と、暗号化されたタイトルキーを、Usage Ruleの種類別に、それぞれ複数のタイトルキーファイル（４５）としてまとめて記録メディア（１３）に記録する記録手段（１６）とを備える。【選択図】    図１
2007299475.tif 000002
【特許請求の範囲】
【請求項１】
タイトルに暗号化処理を施してライトワンスタイプの記録メディアに記録する情報記録装置であって、
前記タイトルの取り扱いを規定する複数種類の規則にそれぞれ対応させて、互いに異なる複数のタイトルキーを生成するタイトルキー生成手段と、
前記タイトルキー生成手段で生成された複数のタイトルキーに対して、前記タイトルの取り扱いを規定する複数種類の規則別に、それぞれ対応する規則を示す情報を用いて暗号化処理を施すタイトルキー暗号化手段と、
前記タイトルキー暗号化手段で暗号化されたタイトルキーを、前記タイトルの取り扱いを規定する複数種類の規則別に、それぞれ複数のタイトルキーファイルとしてまとめて前記記録メディアに記録する暗号化タイトルキー記録手段とを具備することを特徴とする情報記録装置。
【請求項２】
前記記録メディアに記録された複数のタイトルキーファイルの中から所望のタイトルキーファイルを選択するタイトルキーファイル選択手段と、
前記タイトルキーファイル選択手段で選択されたタイトルキーファイルの中から所望の暗号化タイトルキーを選択する暗号化タイトルキー選択手段と、
前記暗号化タイトルキー選択手段で選択された暗号化タイトルキーに、対応する前記タイトルの取り扱いを規定する規則を示す情報を用いて復号化処理を施す暗号化タイトルキー復号化手段と、
前記暗号化タイトルキー復号化手段で復号化されたタイトルキーを用いて記録要求されたタイトルに暗号化処理を施し、前記記録メディアに追記するタイトル追記手段とを具備することを特徴とする請求項１記載の情報記録装置。
【請求項３】
タイトルに暗号化処理を施してライトワンスタイプの記録メディアに記録する情報記録装置であって、
前記タイトルの取り扱いを規定する同一種類の規則に対応して、互いに異なる複数のタイトルキーを生成するタイトルキー生成手段と、
前記タイトルキー生成手段で生成された複数のタイトルキーに対して、それぞれ対応する規則を示す情報を用いて暗号化処理を施すタイトルキー暗号化手段と、
前記タイトルキー暗号化手段で暗号化された複数のタイトルキーをタイトルキーファイルとしてまとめて前記記録メディアに記録する暗号化タイトルキー記録手段とを具備することを特徴とする情報記録装置。
【請求項４】
前記記録メディアに記録されたタイトルキーファイルの中から所望の暗号化タイトルキーを選択する暗号化タイトルキー選択手段と、
前記暗号化タイトルキー選択手段で選択された暗号化タイトルキーに、対応する前記タイトルの取り扱いを規定する規則を示す情報を用いて復号化処理を施す暗号化タイトルキー復号化手段と、
前記暗号化タイトルキー復号化手段で復号化されたタイトルキーを用いて記録要求されたタイトルに暗号化処理を施し、前記記録メディアに追記するタイトル追記手段とを具備することを特徴とする請求項３記載の情報記録装置。
【請求項５】
前記タイトルキー暗号化手段は、前記タイトルキー生成手段で生成されたタイトルキーと、そのタイトルキーに対応する前記タイトルの取り扱いを規定する規則を示す情報にハッシュ処理を施した値とを排他的論理和演算したものに対し、所定の鍵を用いて暗号化処理を施すことを特徴とする請求項１または３記載の情報記録装置。
【請求項６】
前記暗号化タイトルキー復号化手段は、前記暗号化タイトルキー選択手段で選択された暗号化タイトルキーに所定の鍵を用いて復号化処理を施した値と、その暗号化タイトルキーに対応する前記タイトルの取り扱いを規定する規則を示す情報にハッシュ処理を施した値とに排他的論理和演算を施すことを特徴とする請求項２または４記載の情報記録装置。
【請求項７】
前記タイトルの取り扱いを規定する規則は、Usage Ruleに相当することを特徴とする請求項１乃至６いずれかに記載の情報記録装置。
【請求項８】
タイトルに暗号化処理を施してライトワンスタイプの記録メディアに記録する情報記録装置を制御する方法であって、
前記タイトルの取り扱いを規定する複数種類の規則にそれぞれ対応させて、互いに異なる複数のタイトルキーを生成する第１の工程と、
前記第１の工程で生成された複数のタイトルキーに対して、前記タイトルの取り扱いを規定する複数種類の規則別に、それぞれ対応する規則を示す情報を用いて暗号化処理を施す第２の工程と、
前記第２の工程で暗号化されたタイトルキーを、前記タイトルの取り扱いを規定する複数種類の規則別に、それぞれ複数のタイトルキーファイルとしてまとめて前記記録メディアに記録する第３の工程とを具備することを特徴とする情報記録装置の制御方法。
【請求項９】
前記記録メディアに記録された複数のタイトルキーファイルの中から所望のタイトルキーファイルを選択する第４の工程と、
前記第４の工程で選択されたタイトルキーファイルの中から所望の暗号化タイトルキーを選択する第５の工程と、
前記第５の工程で選択された暗号化タイトルキーに、対応する前記タイトルの取り扱いを規定する規則を示す情報を用いて復号化処理を施す第６の工程と、
前記第６の工程で復号化されたタイトルキーを用いて記録要求されたタイトルに暗号化処理を施し、前記記録メディアに追記する第７の工程とを具備することを特徴とする請求項８記載の情報記録装置の制御方法。
【請求項１０】
タイトルに暗号化処理を施してライトワンスタイプの記録メディアに記録する情報記録装置を制御する方法であって、
前記タイトルの取り扱いを規定する同一種類の規則に対応して、互いに異なる複数のタイトルキーを生成する第１の工程と、
前記第１の工程で生成された複数のタイトルキーに対して、それぞれ対応する規則を示す情報を用いて暗号化処理を施す第２の工程と、
前記第２の工程で暗号化された複数のタイトルキーをタイトルキーファイルとしてまとめて前記記録メディアに記録する第３の工程とを具備することを特徴とする情報記録装置の制御方法。
【請求項１１】
前記記録メディアに記録されたタイトルキーファイルの中から所望の暗号化タイトルキーを選択する第４の工程と、
前記第４の工程で選択された暗号化タイトルキーに、対応する前記タイトルの取り扱いを規定する規則を示す情報を用いて復号化処理を施す第５の工程と、
前記第５の工程で復号化されたタイトルキーを用いて記録要求されたタイトルに暗号化処理を施し、前記記録メディアに追記する第６の工程とを具備することを特徴とする請求項１０記載の情報記録装置の制御方法。
【発明の詳細な説明】
【技術分野】
【０００１】
この発明は、同一の記録領域に対して一度だけの情報の書き込みが可能なライトワンスタイプの記録メディアに情報を追記する情報記録装置及びその制御方法に関する。
【背景技術】
【０００２】
周知のように、近年では、デジタル記録媒体としてＤＶＤ（digital versatile disk）等の光ディスクが普及している。また、現在では、ＤＶＤよりもさらに高密度記録を可能とする、ＨＤ（high definition）ＤＶＤやblue-rayディスク等と称される、ハイビジョン対応の次世代ＤＶＤ規格も完成している。
【０００３】
そして、この次世代ＤＶＤ規格では、記録メディアである光ディスクに記録される種々のタイトル（コンテンツ）が、不正にコピーされることを防止して著作権の保護を図るために、ＡＡＣＳ（advanced access content system）と称されるコンテンツプロテクション規格が定められている。
【０００４】
このＡＡＣＳ規格は、各タイトルにそれぞれ暗号化処理を施して光ディスクに記録する際に、タイトルの取り扱いを規定した規則であるUsage Ruleを用いて、タイトルを暗号化するために使用したタイトルキーを暗号化し、その暗号化されたタイトルキーをファイルとして光ディスクに記録している。
【０００５】
そして、タイトルの再生時には、光ディスクに記録された複数のタイトルのうち、再生すべきタイトルの暗号化に使用したタイトルキーをファイルから取り出し、その取り出したタイトルキーをUsage Ruleを用いて復号化し、この復号化されたタイトルキーを用いて再生すべきタイトルに復号化処理を施すようにしている。
【０００６】
ところで、ＡＡＣＳ規格では、ライトワンスタイプ（追記型）の光ディスクに対して、一度書き込んだタイトルキーファイルを更新することが禁止されている。このため、タイトルを記録する毎に新たなタイトルキーを生成してファイルに追記していく手法を採用することができず、ユーザにとっての取り扱いが不便になっている。
【０００７】
特許文献１には、移動または消去したいタイトルが属するフォルダに関しては、そのフォルダキーとフォルダ内の全タイトルキーとを再暗号化し、移動または消去したいタイトルが属さない残りのフォルダに関しては、そのフォルダキーのみを再暗号化して、タイトルの移動または消去を効率に行なうようにした構成が開示されている。
【特許文献１】特開２００４−２２０８５
【発明の開示】
【発明が解決しようとする課題】
【０００８】
そこで、この発明は上記事情を考慮してなされたもので、タイトルの暗号化のためのタイトルキーでなるファイルの更新が禁止されたライトワンスタイプの記録メディアに対して、暗号化されたタイトルの追記を容易に可能とし、ユーザにとっての取り扱いを便利にし得るようにした情報記録装置及びその制御方法を提供することを目的とする。
【課題を解決するための手段】
【０００９】
この発明に係る情報記録装置は、タイトルに暗号化処理を施してライトワンスタイプの記録メディアに記録するものを対象としている。そして、タイトルの取り扱いを規定する複数種類の規則にそれぞれ対応させて、互いに異なる複数のタイトルキーを生成するタイトルキー生成手段と、タイトルキー生成手段で生成された複数のタイトルキーに対して、タイトルの取り扱いを規定する複数種類の規則別に、それぞれ対応する規則を示す情報を用いて暗号化処理を施すタイトルキー暗号化手段と、タイトルキー暗号化手段で暗号化されたタイトルキーを、タイトルの取り扱いを規定する複数種類の規則別に、それぞれ複数のタイトルキーファイルとしてまとめて記録メディアに記録する暗号化タイトルキー記録手段とを備えるようにしたものである。
【００１０】
また、この発明に係る情報記録装置の制御方法は、タイトルに暗号化処理を施してライトワンスタイプの記録メディアに記録する情報記録装置を制御する方法を対象としている。そして、タイトルの取り扱いを規定する複数種類の規則にそれぞれ対応させて、互いに異なる複数のタイトルキーを生成する第１の工程と、第１の工程で生成された複数のタイトルキーに対して、タイトルの取り扱いを規定する複数種類の規則別に、それぞれ対応する規則を示す情報を用いて暗号化処理を施す第２の工程と、第２の工程で暗号化されたタイトルキーを、タイトルの取り扱いを規定する複数種類の規則別に、それぞれ複数のタイトルキーファイルとしてまとめて記録メディアに記録する第３の工程とを備えるようにしたものである。
【発明の効果】
【００１１】
上記した発明によれば、予めタイトルの取り扱いを規定する複数種類の規則毎にそれぞれ複数のタイトルキーを生成し、各タイトルキーをそれぞれ暗号化して複数種類の規則毎にタイトルキーファイルにまとめてライトワンスタイプの記録メディアに記録するようにしている。このため、あらゆる種類の規則に対応したタイトルを暗号化して追記することが可能となり、タイトルキーファイルの更新が禁止されたライトワンスタイプの記録メディアに対して、暗号化されたタイトルの追記を容易に可能とし、ユーザにとっての取り扱いを便利にすることができる。
【発明を実施するための最良の形態】
【００１２】
以下、この発明の実施の形態について図面を参照して詳細に説明する。図１は、この実施の形態で説明する記録再生装置の概要を示している。図１に示す記録再生装置は、情報記録媒体として、ＤＶＤ等の光ディスクとハードディスクとの双方を取り扱うことができる装置として示しているが、情報記録媒体としては、例えば半導体メモリ等に置換されてもよいものである。
【００１３】
図１において、各ブロックを大きく分けると、左側には記録部の主なブロックを示し、右側には再生部の主なブロックを示している。
【００１４】
図１に示す記録再生装置は、ディスクドライブ部１１とＨＤＤ（hard disk drive）部１２との２種類のディスクドライブを有する。まず、ディスクドライブ部１１は、ビデオファイルを構築できる情報記録媒体である第１のメディアとしての光ディスク１３を回転駆動し、情報の読み書きを実行する。ディスクドライブ部１１は、光ディスク１３に対する回転制御系、レーザ駆動系、光学系等を有する。また、ＨＤＤ部１２は、第２のメディアとしてのハードディスク１４を駆動する。
【００１５】
データプロセッサ部１５は、ディスクドライブ部１１及びＨＤＤ部１２に記録データを供給することができ、また、再生された信号を受け取ることができる。データプロセッサ部１５は、記録または再生単位のデータを取り扱うもので、バッファ回路、変調・復調回路、エラー訂正部等を含む。
【００１６】
また、図１に示す記録再生装置は、記録側を構成する記録処理部１６と、再生側を構成する再生処理部１７と、装置本体の動作を制御するマイクロコンピュータブロック１８とを主たる構成要素としている。記録処理部１６は、トランスポートストリーム処理部及び複数のエンコーダを含む。
【００１７】
記録処理部１６は、基本的には入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含んでいる。
【００１８】
記録処理部１６からのエンコード出力は、バッファメモリ１９を含むフォーマッタ２０にて所定のＤＶＤのフォーマットに変換された後、先のデータプロセッサ部１５に供給される。なお、トランスポートストリームから抽出したパケットエレメンタリーストリームが、記録処理部１６から直接ＨＤＤ部１２を介してハードディスク１４に記録される場合もある。
【００１９】
記録処理部１６には、スイッチ２１を介して、Ａ／Ｖ（audio／video）入力部２２から得られる外部アナログビデオ信号と外部アナログオーディオ信号とを入力することができる。
【００２０】
また、記録処理部１６には、スイッチ２１を介して、地上波アナログチューナ２３、地上波デジタルチューナ２４、衛星ＢＳ（broadcasting satellite）／ＣＳ（communication satellite）チューナ２５、衛星アナログチューナ２６からの受信信号を選択的に入力することができる。
【００２１】
そして、記録処理部１６で複数のエンコーダが活用される場合、地上波デジタルチューナ２４で受信した番組をＨＤＤ部１２で記録し、同時に、衛星ＢＳ／ＣＳチューナ２５で受信した番組を視聴することも可能である。
【００２２】
なお、記録処理部１６は、圧縮されたデジタルビデオ信号やデジタルオーディオ信号が直接入力されるときは、圧縮デジタルビデオ信号やデジタルオーディオ信号を直接フォーマッタ２０に供給することもできる。また、記録処理部１６は、アナログデジタル変換されたデジタルビデオ信号やオーディオ信号を、ビデオミキシング部２７やオーディオセレクタ２８に直接供給することもできる。
【００２３】
記録処理部１６に含まれるＭＰＥＧ（moving picture experts group）ビデオエンコーダでは、デジタルビデオ信号はＭＰＥＧ２またはＭＰＥＧ１規格に基づいた可変ビットレートで圧縮されたデジタルビデオ信号に変換される。
【００２４】
デジタルオーディオ信号は、ＭＰＥＧまたはＡＣ（audio compression）−３規格に基づいて固定ビットレートで圧縮されたデジタルオーディオ信号、あるいはリニアＰＣＭ（pulse code modulation）のデジタルオーディオ信号に変換される。
【００２５】
副映像信号がＡ／Ｖ入力部２２から入力された場合（例えば副映像信号の独立出力端子付ＤＶＤビデオプレーヤからの信号等）、または、このようなデータ構成のＤＶＤビデオ信号が放送されて、それが図示しないＴＶ（television）チューナ部で受信された場合は、ＤＶＤビデオ信号中の副映像信号が副映像エンコーダでエンコード（ランレングス符号化）されて副映像のビットマップとなる。
【００２６】
エンコードされたデジタルビデオ信号、デジタルオーディオ信号、副映像データは、フォーマッタ２０にてパック化され、ビデオパック、オーディオパック、副映像パックとなり、さらに、これらが集合されて、ＤＶＤ−ビデオ規格で規定されたフォーマット（ＤＶＤ Ｖｉｄｅｏフォーマット）や、ＤＶＤ−レコーディング規格で規定されたフォーマット（ＤＶＤ ＶＲフォーマット）に変換される。フォーマッタ２０は、上記の変換処理のときに、バッファメモリ１９も利用している。
【００２７】
図１に示す記録再生装置は、フォーマッタ２０でフォーマット化された情報（ビデオ、オーディオ、副映像データ等のパック）及び作成された管理情報を、データプロセッサ部１５を介してＨＤＤ部１２またはディスクドライブ部１１に供給し、ハードディスク１４または光ディスク１３に記録することができる。
【００２８】
また、ハードディスク１４または光ディスク１３に記録された情報を、データプロセッサ部１５、ディスクドライブ部１１を介して光ディスク１３またはハードディスク１４に記録することもできる。
【００２９】
さらに、ハードディスク１４または光ディスク１３に記録されている複数番組のビデオオブジェクトを、一部削除したり、異なる番組のオブジェクトをつなげたり、といった編集処理を行なうこともできる。
【００３０】
上記マイクロコンピュータブロック１８は、ＣＰＵ（central processing unit）１８ａと、制御プログラム等が書きこまれたＲＯＭ（read only memory）、プログラム実行に必要なワークエリアを提供するためのＲＡＭ、各種の設定情報が記録される不揮発性メモリ等を含むメモリ部１８ｂとを含んでいる。
【００３１】
また、マイクロコンピュータブロック１８は、ネットワークＩ／Ｆ（interface）２９を介して、外部ネットワークに接続することが可能である。これにより、外部のサーバから電子番組案内情報（ＤＥＰＧ：dynamic electronic program guide）等を取り込むことも可能である。
【００３２】
さらに、マイクロコンピュータブロック１８のＣＰＵ１８ａは、メモリ部１８ｂのＲＯＭに格納された制御プログラムに従い、ＲＡＭをワークエリアとして用いて、欠陥場所検出、未記録領域検出、録画情報記録位置設定、ＵＤＦ（universal disk format）記録、ＡＶアドレス設定等を実行する。
【００３３】
また、マイクロコンピュータブロック１８は、記録再生装置の各ブロックを統括して制御するために必要な各種の情報処理部を有する。この情報処理部は、図示しないが、ディレクトリ検出部、ＶＭＧ（video manager）情報（全体のビデオ管理情報）作成部、コピー関連情報検知部、コピー及びスクランブリング情報（ＲＤＩ）処理部、パケットヘッダ処理部、シーケンスヘッダ処理部、アスペクト比情報処理部等を備える。
【００３４】
さらに、マイクロコンピュータブロック１８は、編集を実行する際の管理情報の制御部である編集時管理情報制御部と、録画を実行する際の管理情報の制御部である録画時管理情報制御部とを備えている。
【００３５】
マイクロコンピュータブロック１８の実行結果のうち、ユーザに通知すべき内容は、記録再生装置の表示部３０に表示されるか、または、モニターディスプレイ３１にＯＳＤ（on screen display）表示される。
【００３６】
また、マイクロコンピュータブロック１８は、この記録再生装置を操作するための操作信号を与えるキー操作入力部３２を有する。このキー操作入力部３２は、例えば記録再生装置の本体上に設けた操作スイッチ類や、図示しないリモートコントローラ等に相当している。また、記録再生装置と有線通信または無線通信（光通信や赤外線通信等を含む）等の手段を用いて接続されたＰＣ（personal computer）であってもよい。いずれの形態であっても、ユーザがこのキー操作入力部３２を操作することにより、入力された映像音声信号の記録処理や、記録されたコンテンツの再生処理、または記録されたコンテンツに対する編集処理等を施すことができる。
【００３７】
なお、マイクロコンピュータブロック１８が、ディスクドライブ部１１、ＨＤＤ部１２、データプロセッサ部１５、記録処理部１６及び／または再生処理部１７等を制御するタイミングは、ＳＴＣ（system time clock）３３からの時間データに基づいて実行することができる。記録や再生の動作は、通常はＳＴＣ３３からのタイムクロックに同期して実行されるが、それ以外の処理はＳＴＣ３３とは独立したタイミングで実行されてもよい。
【００３８】
再生処理部１７は、パック構造を持つＤＶＤフォーマットの信号から各パックを分離して取り出すセパレータと、パック分離やその他の信号処理実行時に使用するバッファメモリと、セパレータで分離された主映像データ（ビデオパックの内容）をデコードするＶ（video）デコーダと、セパレータで分離された副映像データ（副映像パックの内容）をデコードするＳＰ（sub picture）デコーダと、セパレータで分離されたオーディオデータ（オーディオパックの内容）をデコードするＡ（audio）デコーダとを有する。また、デコードされた主映像にデコードされた副映像を適宜合成し、主映像にメニュー、ハイライトボタン、字幕やその他の副映像を重ねて出力するビデオプロセッサを備えている。
【００３９】
再生処理部１７の出力ビデオ信号は、ビデオミキシング部２７に入力される。ビデオミキシング部２７では、例えばテキストデータの合成が行なわれる。また、ビデオミキシング部２７には、上記ＴＶチューナ部やＡ／Ｖ入力部２２からの信号を直接取り込むラインも接続されている。ビデオミキシング部２７には、バッファとして用いるフレームメモリ部３４が接続されている。ビデオミキシング部２７の出力がアナログ出力の場合はＩ／Ｆ３５を介して外部出力され、デジタル出力の場合はデジタルアナログ変換器３６を介して外部へ出力される。
【００４０】
再生処理部１７の出力オーディオ信号は、オーディオセレクタ２８を介してデジタルアナログ変換器３７でアナログ変換され外部に出力される。オーディオセレクタ２８は、マイクロコンピュータブロック１８からのセレクト信号により制御される。これにより、オーディオセレクタ２８は、上記ＴＶチューナ部やＡ／Ｖ入力部２２からのデジタル信号を直接モニタするとき、記録処理部１６をスルーしたオーディオ信号を直接選択することも可能である。
【００４１】
なお、記録処理部１６のフォーマッタ２０では、記録中、各切り分け情報を作成し、定期的にマイクロコンピュータブロック１８のＣＰＵ１８ａへ送る［ＧＯＰ（group of picture）先頭割り込み時等の情報］。切り分け情報としては、ＶＯＢＵ（video object unit）のパック数、ＶＯＢＵ先頭からのI（intra）ピクチャのエンドアドレス、ＶＯＢＵの再生時間等である。
【００４２】
同時に、図示しないアスペクト情報処理部からの情報が記録開始時にＣＰＵ１８ａに送られ、ＣＰＵ１８ａはＶＯＢ（video object）ストリーム情報（ＳＴＩ：stream information）を作成する。ここでＳＴＩは、解像度データ、アスペクトデータ等を保存し、再生時に、各デコーダ部ではこの情報を元に初期設定が行なわれる。
【００４３】
また、この記録再生装置では、ＤＶＤに記録するビデオファイルは１ディスクに１ファイルとしている。さらに、データをアクセス（シーク）している間に、途切れないで再生を続けるために、最低限連続する情報単位（サイズ）を決めている。この単位は、ＣＤＡ（contiguous data area）と称される。ＣＤＡサイズは、ＥＣＣ（error correcting code）ブロック（１６セクタ）の倍数であり、ファイルシステムではこのＣＤＡ単位で記録を行なっている。
【００４４】
データプロセッサ部１５は、記録処理部１６のフォーマッタ２０からＶＯＢＵ単位のデータを受け取り、ＣＤＡ単位のデータをディスクドライブ部１１あるいはＨＤＤ部１２に供給している。
【００４５】
また、マイクロコンピュータブロック１８のＣＰＵ１８ａは、記録したデータを再生するのに必要な管理情報を作成し、データ記録終了のコマンドを認識すると、作成した管理情報をデータプロセッサ部１５に送る。これにより、管理情報が光ディスク１３またはハードディスク１４に記録される。このため、エンコードが行なわれているとき、マイクロコンピュータブロック１８のＣＰＵ１８ａは、記録処理部１６からデータ単位の情報（切り分け情報等など）を受け取る。
【００４６】
さらに、マイクロコンピュータブロック１８のＣＰＵ１８ａは、記録開始時に、光ディスク１３及びハードディスク１４から読み取った管理情報（ファイルシステム）を認識して、各ディスクの未記録エリアを認識することにより、データプロセッサ部１５を介してデータの記録エリアをディスクに設定している。
【００４７】
次に、この記録再生装置における記録処理部１７に関する特徴的な構成及び動作について説明する。すなわち、この記録処理部１７では、ＡＡＣＳ規格に準拠して、タイトルに暗号化処理を施すことができる。そして、この暗号化されたタイトルは、光ディスク１３に記録される。
【００４８】
このとき、記録処理部１７では、タイトルの使用ルールを定めたUsage Ruleを用いて、タイトルを暗号化するために使用したタイトルキーに暗号化処理を施している。そして、この暗号化されたタイトルキーは、タイトルキーファイルとして光ディスク１３に記録される。
【００４９】
図２は、記録処理部１７において、タイトルキーにUsage Ruleを用いて暗号化処理を施すためのタイトルキー暗号化処理手段を示している。すなわち、タイトルキー３８は、排他的論理和回路３９により、Usage Rule（の情報）４０をＡＥＳ（advanced encryption standard）−Ｈ方式に準拠した暗号化部４１でハッシュ処理した値と排他的論理和演算される。
【００５０】
そして、この排他的論理和回路３９の出力が、ＡＥＳ−１２８Ｅ方式に準拠した暗号化部４２に供給され、所定の鍵（Ｋ）４３を用いて暗号化処理が施されることにより、Usage Ruleを用いて暗号化されたタイトルキー（暗号化タイトルキー）４４が得られる。
【００５１】
ここで、上記ＡＡＣＳ規格では、ライトワンスタイプの光ディスク１３に対して、一度書き込んだタイトルキーファイルを更新することが禁止されている。このため、光ディスク１３にタイトルを記録する毎に、そのタイトルの暗号化に使用したタイトルキーをタイトルキーファイルに追記していく手法を採用することができず、ユーザにとって取り扱いが不便なものとなっている。
【００５２】
そこで、この実施の形態では、一例として、予め全ての種類のUsage Rule毎に、それぞれ互いに異なる複数のタイトルキー３８を生成する。そして、生成した各タイトルキー３８それぞれに対して、図２に示したタイトルキー暗号化処理手段により暗号化処理を施している。この場合、暗号化処理に使用するUsage Rule４１は、暗号化するタイトルキー３８に対応した種類のものが使用される。
【００５３】
そして、このように生成されたUsage Rule毎の複数の暗号化タイトルキー４４を、図３に示すように、Usage Rule別に複数のタイトルキーファイル４５にまとめて、ライトワンスタイプの光ディスク１３に記録する。
【００５４】
この光ディスク１３にタイトルを暗号化して追記する場合には、記録するタイトルに応じて、光ディスク１３に記録されている複数のタイトルキーファイル４５の中から、タイトル毎に決められたUsage Ruleに対応したタイトルキーファイル４５が選択される。
【００５５】
その後、選択されたタイトルキーファイル４５の中から、いずれかの暗号化タイトルキー４４を読み出し、その読み出した暗号化タイトルキー４４を、対応するUsage Ruleを用いて元のタイトルキー３８に復号化する。そして、復号化されたタイトルキー３８を用いて、追記するタイトルに暗号化処理を施し、光ディスク１３に記録する。
【００５６】
図４は、記録処理部１７において、暗号化タイトルキー４４にUsage Ruleを用いて復号化処理を施すためのタイトルキー復号化処理手段を示している。すなわち、暗号化タイトルキー４４は、ＡＥＳ−１２８Ｄ方式に準拠した復号化部４６に供給され、鍵（Ｋ）４３を用いて復号化処理が施される。
【００５７】
そして、この復号化部４６の出力が、排他的論理和回路４７により、Usage Rule（の情報）４０をＡＥＳ−Ｈ方式に準拠した暗号化部４８でハッシュ処理した値と排他的論理和演算されることにより、元のタイトルキー３８が得られる。
【００５８】
そして、図５に示すように、光ディスク１３に追記するタイトル４９は、暗号化部５０に供給されて、上記のように復号化されたタイトルキー３８を用いて暗号化処理が施されることにより、暗号化されたタイトル（暗号化タイトル）５１となって、光ディスク１３に追記される。
【００５９】
図６は、予め全ての種類のUsage Rule毎にそれぞれ生成された複数のタイトルキー３８を暗号化してライトワンスタイプの光ディスク１３に記録する処理動作をまとめたフローチャートを示している。すなわち、処理が開始（ステップＳ１）されると、記録処理部１６は、ステップＳ２で、様々なUsage Ruleに対応したタイトルキー３８を生成する。
【００６０】
そして、記録処理部１６は、ステップＳ３で、生成した各タイトルキー３８それぞれに対して、対応するUsage Rule４１を用いてそれぞれ暗号化処理を施し、ステップＳ４で、各暗号化タイトルキー４４をUsage Rule別に複数のタイトルキーファイル４５にまとめて、ステップＳ５で、全てのタイトルキーファイル４５をライトワンスタイプの光ディスク１３に記録し、処理を終了（ステップＳ６）する。
【００６１】
図７は、上記のようにして光ディスク１３に記録された暗号化タイトルキー４４を用いて、タイトル４９を暗号化して光ディスク１３に追記する処理動作をまとめたフローチャートを示している。すなわち、処理が開始（ステップＳ７）されると、記録処理部１６は、ステップＳ８で、光ディスク１３に記録されている複数のタイトルキーファイル４５の中から、記録するタイトルに応じて、タイトル毎に決められたUsage Ruleに対応したタイトルキーファイル４５を選択する。
【００６２】
その後、記録処理部１６は、ステップＳ９で、選択されたタイトルキーファイル４５の中から、いずれかの暗号化タイトルキー４４を選択し、ステップＳ１０で、その選択した暗号化タイトルキー４４を、対応するUsage Ruleを用いて元のタイトルキー３８に復号化する。
【００６３】
そして、記録処理部１６は、ステップＳ１１で、復号化されたタイトルキー３８を用いて、追記するタイトルに暗号化処理を施し、ステップＳ１２で、暗号化されたタイトル５１を光ディスク１３に記録して、処理を終了（ステップＳ１３）する。
【００６４】
図６及び図７に示した例によれば、予め様々なUsage Rule毎にそれぞれ複数のタイトルキー３８を生成し、各タイトルキー３８をそれぞれ暗号化して、Usage Rule毎にタイトルキーファイル４５にまとめてライトワンスタイプの光ディスク１３に記録するようにしている。
【００６５】
このため、あらゆる種類のUsage Ruleに対応したタイトルを暗号化して追記することが可能となり、タイトル４９の暗号化のためのタイトルキー３８でなるファイル４５の更新が禁止されたライトワンスタイプの光ディスク１３に対して、暗号化されたタイトル５１の追記を容易に可能とし、ユーザにとっての取り扱いを便利にすることができる。
【００６６】
次に、この実施の形態の他の例について説明する。この例では、予め同一のUsage Ruleに対して互いに異なる複数のタイトルキー３８を生成し、生成した各タイトルキー３８それぞれに対して、図２に示したタイトルキー暗号化処理手段によりUsage Ruleを用いた暗号化処理を施している。そして、このように生成された同一のUsage Ruleに対応する複数の暗号化タイトルキー４４をタイトルキーファイル４５として、ライトワンスタイプの光ディスク１３に記録する。
【００６７】
図８は、予め同一のUsage Ruleに対して互いに異なる複数のタイトルキー３８生成し、各タイトルキー３８をUsage Ruleを用いて暗号化してタイトルキーファイル４５としてライトワンスタイプの光ディスク１３に記録する処理動作をまとめたフローチャートを示している。すなわち、処理が開始（ステップＳ１４）されると、記録処理部１６は、ステップＳ１５で、同一のUsage Ruleに対して複数のタイトルキー３８を生成する。
【００６８】
そして、記録処理部１６は、ステップＳ１６で、生成した各タイトルキー３８それぞれに対して、Usage Rule４１を用いて暗号化処理を施し、ステップＳ１７で、各暗号化タイトルキー４４をタイトルキーファイル４５にまとめて、ステップＳ１８で、タイトルキーファイル４５をライトワンスタイプの光ディスク１３に記録し、処理を終了（ステップＳ１９）する。
【００６９】
図９は、上記のようにして光ディスク１３に記録された暗号化タイトルキー４４を用いて、タイトル４９を暗号化して光ディスク１３に追記する処理動作をまとめたフローチャートを示している。すなわち、処理が開始（ステップＳ２０）されると、記録処理部１６は、ステップＳ２１で、光ディスク１３に記録されているタイトルキーファイル４５の中から、いずれかの暗号化タイトルキー４４を選択し、ステップＳ２２で、その選択した暗号化タイトルキー４４を、Usage Ruleを用いて元のタイトルキー３８に復号化する。
【００７０】
そして、記録処理部１６は、ステップＳ２３で、復号化されたタイトルキー３８を用いて、追記するタイトルに暗号化処理を施し、ステップＳ２４で、暗号化されたタイトル５１を光ディスク１３に記録して、処理を終了（ステップＳ２５）する。
【００７１】
図８及び図９に示した例によれば、同一のUsage Ruleに対し、互いに異なる複数のタイトルキー３８を生成し、各タイトルキー３８をそれぞれUsage Ruleを用いて暗号化して、タイトルキーファイル４５にまとめてライトワンスタイプの光ディスク１３に記録するようにしている。
【００７２】
このため、タイトル４９の追記時に、任意のタイトルキー３８を使用することが可能となる。これにより、既に記録されているタイトルに対し、追記するタイトルを同一のUsage Rule内で別のタイトルとして記録することができる。
【００７３】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００７４】
【図１】この発明の実施の形態を示すもので、記録再生装置を説明するために示すブロック構成図。
【図２】同実施の形態における記録再生装置のタイトルキー暗号化処理手段を説明するために示すブロック構成図。
【図３】同実施の形態における記録再生装置のタイトルキー暗号化処理手段で生成された暗号化タイトルキーをまとめたタイトルキーファイルを説明するために示す図。
【図４】同実施の形態における記録再生装置のタイトルキー復号化処理手段を説明するために示すブロック構成図。
【図５】同実施の形態における記録再生装置のタイトル暗号化処理手段を説明するために示すブロック構成図。
【図６】同実施の形態における記録再生装置のタイトルキー暗号化処理動作の一例を説明するために示すフローチャート。
【図７】同実施の形態における記録再生装置のタイトル暗号化処理動作の一例を説明するために示すフローチャート。
【図８】同実施の形態における記録再生装置のタイトルキー暗号化処理動作の他の例を説明するために示すフローチャート。
【図９】同実施の形態における記録再生装置のタイトル暗号化処理動作の他の例を説明するために示すフローチャート。
【符号の説明】
【００７５】
１１…ディスクドライブ部、１２…ＨＤＤ部、１３…光ディスク、１４…ハードディスク、１５…データプロセッサ部、１６…記録処理部部、１７…再生処理部、１８…マイクロコンピュータブロック、１９…バッファメモリ、２０…フォーマッタ、２１…スイッチ、２２…Ａ／Ｖ入力部、２３…地上波アナログチューナ、２４…地上波デジタルチューナ、２５…衛星ＢＳ／ＣＳチューナ、２６…衛星アナログチューナ、２７…ビデオミキシング部、２８…オーディオセレクタ、２９…ネットワークＩ／Ｆ、３０…表示部、３１…モニターディスプレイ、３２…キー操作入力部、３３…ＳＴＣ、３４…フレームメモリ部、３５…Ｉ／Ｆ、３６，３７…デジタルアナログ変換器、３８…タイトルキー、３９…排他的論理和回路、４０…Usage Rule、４１，４２…暗号化部、４３…鍵（Ｋ）、４４…暗号化タイトルキー、４５…タイトルキーファイル、４６…復号化部、４７…排他的論理和回路、４８…暗号化部、４９…タイトル、５０…暗号化部、５１…暗号化タイトル。
【図１】
2007299475.tif 000003
【図２】
2007299475.tif 000004
【図３】
2007299475.tif 000005
【図４】
2007299475.tif 000006
【図５】
2007299475.tif 000007
【図６】
2007299475.tif 000008
【図７】
2007299475.tif 000009
【図８】
2007299475.tif 000010
【図９】
2007299475.tif 000011